【事件の表示】
　特願２００２−１４２９２４「複数の画点を投影線内に生成する画像形成装置」拒絶査定不服審判事件〔平成１５年　２月　７日出願公開、特開２００３−　３５９５８〕について、次のとおり審決する。
【結　論】
　本件審判の請求は、成り立たない。
【理　由】
１．手続の経緯
　本願は、平成１４年５月１７日の出願（パリ条約による優先権主張　２００１年　５月１８日ドイツ）であって、平成２０年１０月１７日付で拒絶査定がなされ、これに対して、平成２１年１月１９日に査定不服の審判がなされるとともに、同日付で手続補正書が提出されたものである。
　さらに、審査官により作成された前置報告書について当審より審尋したところ、平成２２年７月２３日付で回答書が提出されたものである。
　
２．平成２１年１月１９日付手続補正について
　平成２１年１月１９日付手続補正（以下、「本件補正」という。）は、補正前の特許請求の範囲の請求項１において、
（１）「該制御装置は（２１６）に、」という誤記を「該制御装置（２１６）に、」と訂正するとともに、
（２）「個々の光源によって定まる平面内での前記対象物線に対する個々の光源の位置のずれが補償されるように、該制御装置の、各光源（１２）に対する作動開始時点をそれぞれの距離ｓiにしたがってずらす時間遅延装置（２２２）」における「作動開始時点をそれぞれの距離ｓｉにしたがってずらす」点について、さらに請求項２と請求項６に記載された事項を併合したことを含む。
　したがって、本件補正は、特許請求の範囲において、誤記の訂正及び請求項の削除をするものであり、平成１８年法律第５５号改正附則第３条第１項によりなお従前の例によるとされる同法による改正前の特許法第１７条の２第４項第１号及び第３号の規定に適合するので、適法である。
　
３．本願発明
　本願の請求項１〜８に係る発明は、平成２１年１月１９日付手続補正書により補正された明細書の、特許請求の範囲の請求項１〜８に記載された事項により特定されるとおりのものであると認められるところ、その特許請求の範囲の請求項１に係る発明（以下、「本願発明」という。）は、以下のとおりである。
　
「【請求項１】
　投影線（１６）によって定まる方向に直角に、かつ版（２８）の表面に対して接線方向に速度成分ｖで動く版（２８）上の、対象物線（１４）の投影線（１６）内に光源（１２）の画点（２１０）を生成するために、前記対象物線（１４）に対して、画像形成装置の製造に基づく距離ｓi（ｉは光源（１２）の番号）を有する、ダイオードレーザバー上の複数の前記光源（１２）と、該各光源（１２）をオン／オフする制御装置（２１６）とを有し、該制御装置（２１６）に、個々の光源によって定まる平面内での前記対象物線に対する個々の光源の位置のずれが補償されるように、該制御装置の、各光源（１２）に対する作動開始時点をそれぞれの距離ｓiにしたがってずらす時間遅延装置（２２２）が付属し、また画点（２１０）の列によって印刷点のフィールドを生成するために使用され、隣接する生成すべき印刷点同士の距離ｈを有している、画像形成装置において、
　前記時間遅延装置（２２２）は、画点（２１０）が前記作動開始によって生成されるように、投影点が前記対象物線の投影線上に位置することになる第１の光源（１２）の作動開始時点に対し相対的に、他の各光源を、付属する画点（２１０）も、該他の光源の付属する投影点が前記対象物線（１４）の前記投影線（１６）上にあるときに生成されるように、前記第１の光源（１２）の前記作動開始時点から時間的にずれてオンし、
　前記光源（１２）の前記投影点の、前記対象物線（１４）の前記投影線（１６）からの距離が、隣接する印刷点同士間の距離ｈのｎ倍（ｎは自然数）よりも大きい場合、前記光源（１２）によって生成されるべき、前記投影線（１６）に対して最も近い距離を有する印刷点の画像情報を用いて当該光源（１２）の制御が行われ、前記制御装置は、前記版上の点が遅延時間間隔内で実質的に距離（ｋｓi−ｎｈ）（ｋは対象物線（１４）と投影線（１６）との間の投影比を示す）だけ進むように前記光源（１２）をオンし
　前記時間遅延装置（２２２）が前記ダイオードレーザバーとコンパクトな構造形態に一体化され、かつプログラマルロジックまたはＡＳＩＣ（特定用途向け集積回路）を含んでいることを特徴とする画像形成装置。」
　
４．引用例の記載
　
　原査定の拒絶の理由に引用された、本願の優先日前に日本国内または外国において頒布された刊行物である特開平１１−１０９４９号公報（原査定における引用文献１。以下「引用例１」という。）には、図面とともに以下の事項が記載されている。（以下、下線は、当審にて付与。）
　
（１ａ）「【請求項１】
「【請求項１】　
主走査方向にずれて配置され
ビームの出射を各配置位置に応じて開始するｎ個の発光素子と
　前記ｎ個の発光素子に対する画像データをそれぞれ記憶するｎ個のラインメモリと、
　前記ｎ個の発光素子が出射する各ビームを受光して同期検知信号を出力する１つの同期検知素子と、
　前記ｎ個の発光素子の第１の発光素子が出射して前記同期検知素子により検知された第１ビームの同期検知信号に基づいて前記ｎ個のラインメモリの各々を選択的にライトイネーブルに設定するライトイネーブル設定回路と、
　前記
第１ビームの同期検知信号に基づいてクロックの位相同期を行う第１の位相同期回路と
　前記
第１ビームの同期検知信号を前記発光素子による主走査方向の走査時間間隔の分だけ遅延する第１の遅延回路と
　前記
第１の遅延回路により遅延された第１ビームの同期検知信号に基づいて第１の位相同期回路により位相同期されたクロックの位相同期を行うｎ−１個の第２の位相同期回路と
　前記
ｎ−１個の第２の位相同期回路により位相同期された各クロックを遅延して他のビーム用のクロックを生成するｎ−１個の第２の遅延回路と
　前記第１の位相同期回路と前記第２の遅延回路により生成された各クロックを１／ｎに分周してそれぞれ前記ｎ個のラインメモリのリードクロックを生成するｎ個の分周回路と、
を備えたマルチビーム画像形成装置。
【請求項２】　前記第１ビームの同期検知信号に基づいて他の発光素子用のｎ−１個のダミー同期検知信号を生成すると共に、前記ｎ個のラインメモリのライトリセットを前記第１ビームの同期検知信号により行い、前記ｎ個のラインメモリのライトを前記第１ビームの同期検知信号とｎ−１個のダミー同期検知信号に基づいてトグル動作させることを特徴とする請求項１記載のマルチビーム
画像形成装置
　
（１ｂ）「【０００２】
【従来の技術】一般に、複写機やプリンタにおいて高速化しようとすると、ビデオクロックの周波数が高速になり、入手可能なＩＣやＬＤ（レーザダイオード）ドライバがないので、例えば特開平４−２００６６号公報に示すように複数の書き込みビームの各々に異なる画像を割り当てて光変調を行う方法が提案されている。この方法によれば、ｎ個のＬＤを用いて同時にｎラインを書き込む場合にはビデオクロックの周波数を１／ｎにすることができる。
【０００３】例えば
２つのＬＤを用いた場合
２ライン分の画像データを
ライン毎に
【０００４】この種の従来例としは、例えば特開昭５７−８８８７号公報に示すように複数のビームを検知した個々の同期検知信号により位相合わせを行った読み出しクロックで読み出す方法が提案されている。この方法によれば、例えば２個の発光素子は、主走査方向にずれて配置されていても、各画像データに応じて変調されたビームの出射を各配置位置に応じて開始する。」
　
（１ｃ）「【００１４】図１〜図４において、ＬＤ制御板１上にはＬＤユニット２が実装され、ＬＤユニット２には一例として
２個のＬＤ１、ＬＤ２が実装されている
ＬＤ１、ＬＤ２から出射された各レーザビームは
共通のコリメートレンズ３により平行化され
ポリゴンスキャナ５により反射される。ポリゴンスキャナ５は矢印で示す主走査方向に回転し
これによりレーザビームが主走査方向に等角速度で偏向される
ｆθレンズ６により等速度偏向に補正された
感光体７上に照射されると共に同期検知素子８により検出される
【００１５】
ＬＤユニット２上の２個のＬＤ１、ＬＤ２は、図２に示すように主走査方向については距離ａだけ離れ
【００１６】更に、
ＬＤ１、ＬＤ２から出射された２つのビームは図４に示すように、ＬＤ１、ＬＤ２の主走査方向の距離ａの分だけずれて同期検知素子８により受光される
ＬＤ１の第１ビームを検出した時の同期検知信号ＤＥＴＰ１と、ＬＤ２の第２ビームを検出した時の同期検知信号ＤＥＴＰ２が生成され
同期検知信号ＤＥＴＰ１より同期検知信号ＤＥＴＰ２が遅れる
【００１７】図７に示す
ＡＳ（特定用途向け）ＩＣ１４は
マルチビーム画像形成装置を構成し
【００１８】
ＧＡＶＤ１３は
第１ビームの同期検知信号ＤＥＴＰ１
に基づいて
画像データＶＤＡＴＡ
をＡＳＩＣ１４に出力する
第１ビームの本物の同期検知信号（以下、本物同期検知信号）ＤＥＴＰ１
第２ビームの同期検知信号ＤＥＴＰ２
【００１９】
ＡＳＩＣ１４はＧＡＶＤ１３からの上記信号ＶＤＡＴＡ、ＶＣＬＫと、本物同期検知信号ＤＥＴＰ１と第２ビーム同期検知信号ＤＥＴＰ２に基づいて
ＬＤ１用の画像データＶＤＡＴＡ１
を生成して第１ＬＤ制御部１５ａに出力すると共に、
ＬＤ２用の画像データＶＤＡＴＡ２
を生成して第２ＬＤ制御部１５ｂに出力する
【００２０】ＡＳＩＣ１４は図８に詳しく示すように、ＦＩＦＯメモリ１８、１９のライト、リード処理部／１ビーム→２ビーム変換部２１と、ダミー同期信号発生部／ＬＣＬＲ発生部２２と、位相同期回路２３とクロック分周部２４を有する。ダミー同期信号発生部（２２）では図９に示すように、カウンタ３１により画素クロックＶＣＬＫをカウントし、次いでコンパレータ３２によりカウンタ３１のカウント値と、本物同期検知信号ＤＥＴＰ１の１周期の１／２に対応する設定値を比較する。そして、ワンショット発生回路３３によりコンパレータ３２の比較結果が一致した時に所定パルス幅のダミー同期検知信号ＤＥＰＴ１’を発生し、次いでＯＲゲート３４により図１０に示すようにダミー同期検知信号ＤＥＰＴ１’と本物同期検知信号ＤＥＴＰ１の論理和信号ＤＥＴＰ１Ａを出力する。」
　
（１ｄ）「【００２６】また、ＦＦ２５は次の信号ＬＣＬＲ（すなわちダミーの同期検知信号）により出力Ｑが反転してロウになり、ＦＩＦＯメモリ１８のライトイネーブル信号ＷＥがノンアクティブになると共にＦＩＦＯメモリ１９のライトイネーブル信号ＷＥがアクティブになる。したがって、ＦＩＦＯメモリ１８、１９のライトイネーブル信号ＷＥは信号ＬＣＬＲにより交互にハイとなる。したがって、
画像有効領域が始まった後の最初の本物の同期検知信号ＤＥＴＰ１により
ＬＤ１が常に先に発光し、その結果、ＬＤ１、ＬＤ２の主走査方向の配置位置がずれていても、主走査方向の位相同期がずれて斜線が途切れる等の問題が発生しない
【００２７】位相同期回路２３ａは画素クロック（＝ラインメモリのライトクロック）ＶＣＬＫを同期検知信号ＤＥＴＰ１により位相同期をとった画素クロックＶＣＬＫＡを分周回路２４ａと位相同期回路２３ｂに出力する。また、
同期検知信号ＤＥＴＰ１はＬＤ１、ＬＤ２による主走査方向の走査時間間隔の分だけ遅延回路１１０により遅延され
　
（１ｅ）「【図１】
」
　
（１ｆ）「【図３】
」
　
　以上の事項から、引用例１には、以下の発明（以下「引用例１発明」という。）が記載されていると認められる。
　
「主走査方向について距離ａだけ離れ実装されている２個のＬＤ１、ＬＤ２から出射された各レーザビームは、共通のコリメートレンズ３により平行化され、ビームの副走査方向のみ集光され、主走査方向に回転するポリゴンスキャナ５により反射され主走査方向に等角速度で偏向され、ｆθレンズ６により等速度偏向に補正された後、感光体７上に照射され、
　ＬＤ１、ＬＤ２から出射された２つのビームはＬＤ１、ＬＤ２の主走査方向の距離ａの分だけずれて同期検知素子８により受光され、ＬＤ１の第１ビームを検出した時の同期検知信号ＤＥＴＰ１と、ＬＤ２の第２ビームを検出した時の同期検知信号ＤＥＴＰ２が生成され、ＡＳＩＣ１４はマルチビーム画像形成装置を構成し、同期検知信号ＤＥＴＰ１に基づいて第１ＬＤ制御部１５ａに出力すると共にと第２ビーム同期検知信号ＤＥＴＰ２に基づいて第２ＬＤ制御部１５ｂに出力する、画像形成装置」
　
　原査定の拒絶の理由に引用された、本願の優先日前に日本国内または外国において頒布された刊行物である特開平１１−７８１１０号公報（原査定における引用文献２．以下「引用例２」という。）には、図面とともに以下の事項が記載されている。
　
（２ａ）「【請求項１】
複数のレーザダイオードを整列させた光源部
複数のレーザダイオードから射出したレーザビームを記録材料の記録面に
複数のレーザダイオードから射出したレーザビームと前記記録材料とを相対的に主走査方向に移動させる移動手段
各レーザダイオードを制御するレーザダイオード制御手段
を有する画像記録装置
画像記録装置
　
（２ｂ）「　【０００９】また、従来の装置では、記録材料への記録位置がずれないようにするために、
各レーザダイオードからのレーザビームの記録位置を主走査方向に一致させる必要があった。しかし、このため個々の装置で高精度な調整が、設置前や、経時的な使用により、必要であった
【００１０】第四の発明の目的は、
複数のレーザダイオードの各レーザビームの記録材料上の記録位置が主走査方向にずれる程度に各レーザダイオードの取付精度が高くなくても、環境や経時などによる光軸ズレなどによる各レーザダイオードから射出したレーザビームの記録位置の主走査方向のズレの影響を良好に補正でき、良好に記録することができるようにすることである
　
（２ｃ）「【００２７】実施形態１
本実施形態の画像記録装置は、赤色光に感光する感光層が設けられたハロゲン化銀モノクローム写真感光材料である製版用写真フィルムに潜像を記録させる装置であり、赤色光の複数のレーザビームを同時に発生させ、
主走査方向に移動するこの印画紙上に
照射する
印画紙に潜像を記録させる装置
【００２８】
光学ユニット１には、複数本（例えば１０本）のレーザダイオードを整列させて設けられている光源部１０と、光源部１０の複数本のレーザダイオードから射出した複数本のレーザビームをドラム２に巻き付けられた製版用写真フィルムの記録面上に、副走査方向ＭＳＤに整列させるビーム整列光学系２０が設けられている
【００２９】
ドラム２は、製版用写真フィルムを巻き付けて固定
【００３０】そして、光学ユニット１は、副走査方向ＭＳＤに移動可能であり、この光学ユニット１が、ドラム２に対して副走査方向ＭＳＤに移動することにより、
ドラム２に巻き付けられて固定された製版用写真フィルム全体に潜像を記録させるもの
　
（２ｄ）「【００３３】なお、
光源部１０には、複数本のレーザダイオードＬＤ１０〜ＬＤ１９が所定の間隔で整列させて設けられている
【００３４】そして、ビーム整列光学系２０には、以下のものがある。レンズ２１は、これら複数本のレーザダイオードから射出した複数本のレーザビームを平行にする。そして、ミラー２２が、レンズ２１で平行になった複数本のレーザビームを直角に反射させて、さらに、ミラー２３が、この複数本のレーザビームを直角に反射させて、収束レンズ群２４に入射させる。そして、収束レンズ群２４が入射した複数本のレーザビームを調整面ＣＳの一点に収束させる。そして、調整面ＣＳを通過した複数本のレーザビームが縮小光学レンズ群２５に入射する。そして、縮小光学レンズ群２５が、
入射した複数本のレーザビームを、ドラム２の上に巻き付けられた記録材料上の記録面ＲＳに縮小して結像させる
複数本のレーザビームを
【００３５】なお、図３は
記録面ＲＳを
　
（２ｅ）「【００４７】そして、レーザビームの記録位置は、図３に示すように
副走査方向に一直線に並んでいることが好ましい
各レーザビームの記録位置が主走査方向にずれていることがある
【００４８】そして、
受光素子３が、複数のレーザダイオードＬＤ１０〜ＬＤ１９の各レーザダイオードから射出したレーザビームの記録位置ＢＣ１０〜ＢＣ１９を検出し、検出した記録位置ＢＣ１０〜ＢＣ１９を、図２に示す発光タイミング制御部６に送信する
発光タイミング制御部６は、記録位置ＢＣ１０〜ＢＣ１９から、最もドラム回転方向で上流側にある記録位置（図５ではＢＣ１５）から副走査方向に延ばした直線を標準記録線ＳＢＬとして設定する
発光タイミング制御部６は、各記録位置ＢＣ１０〜ＢＣ１９の標準記録線ＳＢＬからの偏差ΔＢＣ１０〜ΔＢＣ１９を求め、この偏差ΔＢＣ１０〜ΔＢＣ１９とドラム２の周速度ＶＤとから、複数のレーザダイオードＬＤ１０〜ＬＤ１９の各レーザダイオード毎に、遅延時間ＴＲ１０〜ＴＲ１９を以下の式で求める
【００４９】ＴＲｉ＝ΔＢＣｉ／ＶＤ　（ｉ＝１０〜１９の自然数）
そして、
発光タイミング制御部６は、複数のレーザダイオードＬＤ１０〜ＬＤ１９の各レーザダイオードに入力される画像信号を各々、遅延時間ＴＲ１０〜ＴＲ１９だけ遅延させて、光源部１０に入力する
【００５０】これにより、
複数のレーザダイオードＬＤ１０〜ＬＤ１９の各レーザビームの記録材料上の記録位置ＢＣ１０〜ＢＣ１９が主走査方向ＳＳＤにずれる
各レーザダイオードから射出したレーザビームの記録位置ＢＣ１０〜ＢＣ１９を測定し、測定された各レーザダイオードから射出したレーザビームの記録位置ＢＣ１０〜ＢＣ１９に応じて各レーザダイオードの発光タイミングの遅延時間ＴＲ１０〜ＴＲ１９が決められ
各レーザダイオード毎に個別に、当該レーザダイオードの発光タイミングを遅延させることができる
環境や経時などによる光軸ズレなどによる各レーザダイオードから射出したレーザビームの記録位置ＢＣ１０〜ＢＣ１９の主走査方向ＳＳＤのズレの影響を良好に補正でき
　
（２ｆ）「【図１】
」
　
（２ｇ）「【図３】
」
　
（２ｈ）「【図５】
」
　
　　以上の事項から、引用例２には、以下の発明（以下「引用例２発明」という。）が記載されていると認められる。
　
「ドラム２の上に巻き付けられた記録材料上の記録面ＲＳに、設置前や経時的な使用、環境や経時などによる光軸ズレなどにより記録材料上の記録位置ＢＣｉが主走査方向ＳＳＤにずれる複数本のレーザビームを、各レーザダイオードＬＤｉから射出する光源部１０と、
　光源部１０の各レーザダイオードＬＤｉを制御するレーザダイオード制御手段と、
　光源部１０の各レーザダイオードＬＤｉから射出したレーザビームとドラム２の上に巻き付けられた記録材料上の記録面ＲＳとを相対的に主走査方向に周速度ＶＤで移動させる移動手段と、
　最もドラム回転方向で上流側にある記録位置から副走査方向に延ばした標準記録線ＳＢＬからの偏差ΔＢＣｉと、ドラム２の周速度ＶＤとから求めた、複数のレーザダイオードの各レーザダイオードＬＤｉ毎の遅延時間ＴＲｉ＝ΔＢＣｉ／ＶＤだけ遅延させて、光源部１０に画像信号を入力する発光タイミング制御部６と、
を有する、レーザビームの記録位置の主走査方向のズレの影響を良好に補正でき、良好に潜像を記録する画像記録装置。」
　
５．対比
５−１．引用例１発明との対比
　引用例１発明の「ＬＤ１」，「ＬＤ２」は、本願発明の「ダイオードレーザバー上の複数の前記光源（１２）」に相当し、引用例１発明の「主走査方向について距離ａだけ離れ実装されている２個のＬＤ１、ＬＤ２」は、本願発明の「画像形成装置の製造に基づく距離ｓi（ｉは光源（１２）の番号）を有する、ダイオードレーザバー上の複数の前記光源（１２）」に相当する。
　引用例１発明の「感光体７」は、本願発明の「版（２８）」に相当する。
　引用例１発明の「各レーザビームは、主走査方向に回転するポリゴンスキャナ５により反射され主走査方向に等角速度で偏向され、ｆθレンズ６により等速度偏向に補正された後、感光体７上に照射され」ることは、照射される「各レーザービーム」と「感光体」とが互いに等速度で主走査方向に移動することになる点で、本願発明の「投影線（１６）によって定まる方向に直角に、かつ版（２８）の表面に対して接線方向に速度成分ｖで動く版（２８）上の、対象物線（１４）の投影線（１６）内に光源（１２）の画点（２１０）を生成する」ことと等価である。
　引用例１発明で「ＡＳＩＣ１４」を有することは、本願発明の「時間遅延装置（２２２）が前記ダイオードレーザバーとコンパクトな構造形態に一体化され、かつプログラマルロジックまたはＡＳＩＣ（特定用途向け集積回路）を含んで」いることに相当し、
　引用例１発明の「ＡＳＩＣ１４」が「ＬＤ１、ＬＤ２から出射された２つのビームはＬＤ１、ＬＤ２の主走査方向の距離ａの分だけずれて同期検知素子８により受光され、ＬＤ１の第１ビームを検出した時の同期検知信号ＤＥＴＰ１と、ＬＤ２の第２ビームを検出した時の同期検知信号ＤＥＴＰ２が生成され、同期検知信号ＤＥＴＰ１に基づいて第１ＬＤ制御部１５ａに出力すると共にと第２ビーム同期検知信号ＤＥＴＰ２に基づいて第２ＬＤ制御部１５ｂに出力する」ことは、
　本願発明の「各光源（１２）をオン／オフする制御装置（２１６）を有し、該制御装置（２１６）に、個々の光源によって定まる平面内での前記対象物線に対する個々の光源の位置のずれが補償されるように、該制御装置の、各光源（１２）に対する作動開始時点をそれぞれの距離ｓiにしたがってずらす時間遅延装置（２２２）が付属し、」「前記時間遅延装置（２２２）は、画点（２１０）が前記作動開始によって生成されるように、投影点が前記対象物線の投影線上に位置することになる第１の光源（１２）の作動開始時点に対し相対的に、他の各光源を、付属する画点（２１０）も、該他の光源の付属する投影点が前記対象物線（１４）の前記投影線（１６）上にあるときに生成されるように、前記第１の光源（１２）の前記作動開始時点から時間的にずれてオン」していることに相当する。
　したがって、両者は、
「投影線（１６）によって定まる方向に直角に、かつ版（２８）の表面に対して接線方向に速度成分ｖで動く版（２８）上の、対象物線（１４）の投影線（１６）内に光源（１２）の画点（２１０）を生成するために、
前記対象物線（１４）に対して、画像形成装置の製造に基づく距離ｓi（ｉは光源（１２）の番号）を有する、ダイオードレーザバー上の複数の前記光源（１２）と
各光源（１２）に対する作動開始時点をそれぞれの距離ｓiにしたがってずらす
　前記時間遅延装置（２２２）は、画点（２１０）が前記作動開始によって生成されるように、投影点が前記対象物線の投影線上に位置することになる第１の光源（１２）の作動開始時点に対し相対的に、他の各光源を、付属する画点（２１０）も、該他の光源の付属する投影点が前記対象物線（１４）の前記投影線（１６）上にあるときに生成されるように、前記第１の光源（１２）の前記作動開始時点から時間的にずれてオンし、
　前記時間遅延装置（２２２）が前記ダイオードレーザバーとコンパクトな構造形態に一体化され、かつプログラマルロジックまたはＡＳＩＣ（特定用途向け集積回路）を含んでいる
　画像形成装置。」で一致し、以下の点で相違する。
　
（相違点１）
　本願発明では「画像形成装置の製造に基づく距離ｓi（ｉは光源（１２）の番号）を有する、ダイオードレーザバー上の複数の光源（１２）」「の投影点の、前記対象物線（１４）の前記投影線（１６）からの距離が、隣接する印刷点同士間の距離ｈのｎ倍（ｎは自然数）よりも大きい場合、前記光源（１２）によって生成されるべき、前記投影線（１６）に対して最も近い距離を有する印刷点の画像情報を用いて当該光源（１２）の制御が行われ、前記制御装置は、前記版上の点が遅延時間間隔内で実質的に距離（ｋｓi−ｎｈ）（ｋは対象物線（１４）と投影線（１６）との間の投影比を示す）だけ進むように前記光源（１２）をオン」しているのに対して、
　引用例１発明では「２個のＬＤ１、ＬＤ２から出射された各レーザビームは」
「ＬＤ１、ＬＤ２の主走査方向の距離ａの分だけずれて同期検知素子８により受光され、ＬＤ１の第１ビームを検出した時の同期検知信号ＤＥＴＰ１と、ＬＤ２の第２ビームを検出した時の同期検知信号ＤＥＴＰ２が生成され、同期検知信号ＤＥＴＰ１に基づいて第１ＬＤ制御部１５ａに出力すると共にと第２ビーム同期検知信号ＤＥＴＰ２に基づいて第２ＬＤ制御部１５ｂに出力する」にすぎず、本願発明のように「投影点の、前記対象物線（１４）の前記投影線（１６）からの距離が、隣接する印刷点同士間の距離ｈのｎ倍（ｎは自然数）よりも大きい場合」にどの程度の遅延時間とするかを明示していない点。
　
５−２．引用例２発明との対比
　引用例２発明の「光源部１０」は、本願発明の本願発明の「ダイオードレーザバー上の複数の前記光源（１２）」に相当し、引用例２発明の「設置前や経時的な使用、環境や経時などによる光軸ズレなどにより記録材料上の記録位置ＢＣｉが主走査方向ＳＳＤにずれる複数本のレーザビームを、各レーザダイオードＬＤｉから射出する光源部１０」は、本願発明の「画像形成装置の製造に基づく距離ｓi（ｉは光源（１２）の番号）を有する、ダイオードレーザバー上の複数の前記光源（１２）」に相当する。
　引用例２発明の「ドラム２の上に巻き付けられた記録材料上の記録面ＲＳ」は、本願発明の「版（２８）」に相当する。
　引用例２発明の「移動手段」が「光源部１０の各レーザダイオードＬＤｉから射出したレーザビームとドラム２の上に巻き付けられた記録材料上の記録面ＲＳとを相対的に主走査方向に周速度ＶＤで移動させる」ことは、本願発明の「投影線（１６）によって定まる方向に直角に、かつ版（２８）の表面に対して接線方向に速度成分ｖで動く版（２８）上の、対象物線（１４）の投影線（１６）内に光源（１２）の画点（２１０）を生成する」ことと等価である。
　引用例２発明の「発光タイミング制御部６」は、本願発明の「時間遅延装置（２２２）」に相当し、引用例２発明の「発光タイミング制御部６」が「最もドラム回転方向で上流側にある記録位置から副走査方向に延ばした標準記録線ＳＢＬからの偏差ΔＢＣｉと、ドラム２の周速度ＶＤとから求めた、複数のレーザダイオードの各レーザダイオードＬＤｉ毎の遅延時間ＴＲｉ＝ΔＢＣｉ／ＶＤだけ遅延させて、光源部１０に画像信号を入力する」ことによって「レーザビームの記録位置の主走査方向のズレの影響を良好に補正でき、良好に潜像を記録する」ことは、本願発明の「各光源（１２）をオン／オフする制御装置（２１６）を有し、該制御装置（２１６）に、個々の光源によって定まる平面内での前記対象物線に対する個々の光源の位置のずれが補償されるように、該制御装置の、各光源（１２）に対する作動開始時点をそれぞれの距離ｓiにしたがってずらす時間遅延装置（２２２）が付属し、」「前記時間遅延装置（２２２）は、画点（２１０）が前記作動開始によって生成されるように、投影点が前記対象物線の投影線上に位置することになる第１の光源（１２）の作動開始時点に対し相対的に、他の各光源を、付属する画点（２１０）も、該他の光源の付属する投影点が前記対象物線（１４）の前記投影線（１６）上にあるときに生成されるように、前記第１の光源（１２）の前記作動開始時点から時間的にずれてオン」していることに相当する。
　
　したがって、両者は、
「投影線（１６）によって定まる方向に直角に、かつ版（２８）の表面に対して接線方向に速度成分ｖで動く版（２８）上の、対象物線（１４）の投影線（１６）内に光源（１２）の画点（２１０）を生成するために、
前記対象物線（１４）に対して、画像形成装置の製造に基づく距離ｓi（ｉは光源（１２）の番号）を有する、ダイオードレーザバー上の複数の前記光源（１２）と
各光源（１２）に対する作動開始時点をそれぞれの距離ｓiにしたがってずらす
　前記時間遅延装置（２２２）は、画点（２１０）が前記作動開始によって生成されるように、投影点が前記対象物線の投影線上に位置することになる第１の光源（１２）の作動開始時点に対し相対的に、他の各光源を、付属する画点（２１０）も、該他の光源の付属する投影点が前記対象物線（１４）の前記投影線（１６）上にあるときに生成されるように、前記第１の光源（１２）の前記作動開始時点から時間的にずれてオンする
　画像形成装置。」で一致し、以下の点で相違する。
　
（相違点２）
　本願発明では「画像形成装置の製造に基づく距離ｓi（ｉは光源（１２）の番号）を有する、ダイオードレーザバー上の複数の光源（１２）」「の投影点の、前記対象物線（１４）の前記投影線（１６）からの距離が、隣接する印刷点同士間の距離ｈのｎ倍（ｎは自然数）よりも大きい場合、前記光源（１２）によって生成されるべき、前記投影線（１６）に対して最も近い距離を有する印刷点の画像情報を用いて当該光源（１２）の制御が行われ、前記制御装置は、前記版上の点が遅延時間間隔内で実質的に距離（ｋｓi−ｎｈ）（ｋは対象物線（１４）と投影線（１６）との間の投影比を示す）だけ進むように前記光源（１２）をオン」しているのに対して、
　引用例２発明では「発光タイミング制御部６」が「最もドラム回転方向で上流側にある記録位置から副走査方向に延ばした標準記録線ＳＢＬからの偏差ΔＢＣｉと、ドラム２の周速度ＶＤとから求めた、複数のレーザダイオードの各レーザダイオードＬＤｉ毎の遅延時間ＴＲｉ＝ΔＢＣｉ／ＶＤだけ遅延させて、光源部１０に画像信号を入力」しているにすぎず、本願発明のように「投影点の、前記対象物線（１４）の前記投影線（１６）からの距離が、隣接する印刷点同士間の距離ｈのｎ倍（ｎは自然数）よりも大きい場合」にどの程度の遅延時間とするかを明示していない点。
　
（相違点３）
　本願発明では「時間遅延装置（２２２）が前記ダイオードレーザバーとコンパクトな構造形態に一体化され、かつプログラマルロジックまたはＡＳＩＣ（特定用途向け集積回路）を含んでいる」のに対して、引用例発明では「プログラマルロジック」または「ＡＳＩＣ（特定用途向け集積回路）」について言及がない点。
　
６．検討
６−１．引用例１発明との相違点１について
　本願発明の「版上の点が遅延時間間隔内で実質的に距離（ｋｓi−ｎｈ）（ｋは対象物線（１４）と投影線（１６）との間の投影比を示す）だけ進む」ことについて、本願明細書の詳細な説明【００２４】【００２５】には、以下の記載がある。
「【００２４】本発明による画像形成装置は、画点の列によって印刷点のフィールド、特に、隣接する生成されるべき画点が
距離hを有しているフィールドを生成するために
光源の距離s
i
が、隣接する印刷点の、n倍の距離h/kよりも大きい場合（nは自然数を、kは投影比を示す）、対象線の投影線に対し距離が最も短い生成された印刷点の画像情報で当該光源を制御してもよい
【００２５】対象物線によって定まる方向に直角に、かつ版の表面に対して接線方向に少なくとも速度成分vで動かされる版上の対象物線の投影線内に、光源によって定まる平面内の対象物線に対して各距離si（添字iは光源の番号を示す）を有する、複数の光源の画点を生成する、本発明による方法は、この場合、次のステップを有する。第１の光源の投影点が対象物線の投影線上に位置することとなるとき、この第１の光源による照射が開始される。したがって、
第２の光源は、この第２の光源の対応する投影点が投影線を通過するとき、第２の光源の対応する画点も対象物線の投影線上にあるように第１の光源の作動開始に対して時間的に遅れて作動が開始される
　したがって、本願発明では「隣接する生成すべき印刷点同士の距離ｈを有して」いることにより、「
第２の光源は、この第２の光源の対応する投影点が投影線を通過するとき、第２の光源の対応する画点も対象物線の投影線上にある
　これらの作動により、
第１の光源の作動開始に対して時間的に遅れて作動が開始されることによって、
　
　この点について、請求人も以下のように指摘している。
「引用文献１には「前記光源（１２）の前記投影点の、前記対象物線（１４）の前記投影線（１６）からの距離が、隣接する印刷点同士間の距離ｈのｎ倍（ｎは自然数）よりも大きい場合、前記光源（１２）によって生成されるべき、前記投影線（１６）に対して最も近い距離を有する印刷点の画像情報を用いて当該光源（１２）の制御が行われ、前記制御装置は、前記版上の点が遅延時間間隔内で実質的に距離（ｋｓi−ｎｈ）（ｋは対象物線（１４）と投影線（１６）との間の投影比を示す）だけ進むように前記光源（１２）をオン」することは全く記載されていません。」（平成２２年７月２３日付回答書）
　
　他方、引用例１発明では、「ＬＤ１、ＬＤ２の主走査方向の距離ａの分だけずれて同期検知素子８により受光され、ＬＤ１の第１ビームを検出した時の同期検知信号ＤＥＴＰ１と、ＬＤ２の第２ビームを検出した時の同期検知信号ＤＥＴＰ２が生成され、同期検知信号ＤＥＴＰ１に基づいて第１ＬＤ制御部１５ａに出力すると共にと第２ビーム同期検知信号ＤＥＴＰ２に基づいて第２ＬＤ制御部１５ｂに出力する」ことにより、「
ＬＤ１が常に先に発光し、その結果、ＬＤ１、ＬＤ２の主走査方向の配置位置がずれていても、主走査方向の位相同期がずれて斜線が途切れる等の問題が発生しない
　
　そして、位相同期を一致させるべくＬＤ２の主走査方向の走査時間間隔の分だけ遅延させ発光させる際に、なるべく近いタイミングで複数のビームを発光させることが自然であるから、主走査方向に特定間隔で繰り返される投影線のうちの近いものに一致させることは、当業者が適宜設計し得た事項である。したがって、上記相違点１に係る構成を採用することに、格別の困難性はない。
　
　また、主走査方向に特定間隔で繰り返される投影線のうち、すべての投影点が同じ投影線に同期させる引用例発明１の場合には、投影点に用いる印刷点の画像情報は単純に同じ対象物線上に存在する画像情報を選択するだけでよいが、本願発明の場合には、本来の投影線に大きくずれる投影点について、線を書き込む画像形成の際に途切れることがないように、最も近い距離を有する投影線上の印刷点の画像情報を用いることになり、その選択するための工程が必要となる。この点を考慮すると、２つの光源の作動に時間的遅れを設けることで、線を書き込む画像形成の際に途切れることがないようにできる点で、引用例１発明と本願発明との間で差異はないが、印刷点の画像情報を用いる際には一応の差異があると言える。しかし、格別の効果の差異というものではない。
　
６−２．引用例２発明との相違点２について
　本願発明の「版上の点が遅延時間間隔内で実質的に距離（ｋｓi−ｎｈ）（ｋは対象物線（１４）と投影線（１６）との間の投影比を示す）だけ進む」ことについて、本願明細書の詳細な説明【００２４】【００２５】には、以下の記載がある。
「【００２４】本発明による画像形成装置は、画点の列によって印刷点のフィールド、特に、隣接する生成されるべき画点が
距離hを有しているフィールドを生成するために
光源の距離s
i
が、隣接する印刷点の、n倍の距離h/kよりも大きい場合（nは自然数を、kは投影比を示す）、対象線の投影線に対し距離が最も短い生成された印刷点の画像情報で当該光源を制御してもよい
【００２５】対象物線によって定まる方向に直角に、かつ版の表面に対して接線方向に少なくとも速度成分vで動かされる版上の対象物線の投影線内に、光源によって定まる平面内の対象物線に対して各距離si（添字iは光源の番号を示す）を有する、複数の光源の画点を生成する、本発明による方法は、この場合、次のステップを有する。第１の光源の投影点が対象物線の投影線上に位置することとなるとき、この第１の光源による照射が開始される。したがって、
第２の光源は、この第２の光源の対応する投影点が投影線を通過するとき、第２の光源の対応する画点も対象物線の投影線上にあるように第１の光源の作動開始に対して時間的に遅れて作動が開始される
　したがって、本願発明では「隣接する生成すべき印刷点同士の距離ｈを有して」いることにより、「
第２の光源は、この第２の光源の対応する投影点が投影線を通過するとき、第２の光源の対応する画点も対象物線の投影線上にある
　これらの作動により、
第１の光源の作動開始に対して時間的に遅れて作動が開始されることによって、
　
　この点について、請求人も以下のように指摘している。
「また、引用文献２には「前記光源（１２）の前記投影点の、前記対象物線（１４）の前記投影線（１６）からの距離が、隣接する印刷点同士間の距離ｈのｎ倍（ｎは自然数）よりも大きい場合、前記光源（１２）によって生成されるべき、前記投影線（１６）に対して最も近い距離を有する印刷点の画像情報を用いて当該光源（１２）の制御が行われ、前記制御装置は、前記版上の点が遅延時間間隔内で実質的に距離（ｋｓi−ｎｈ）（ｋは対象物線（１４）と投影線（１６）との間の投影比を示す）だけ進むように前記光源（１２）をオン」することは全く記載されていません。」（平成２２年７月２３日付回答書）
　
　他方、引用例２発明では、「発光タイミング制御部６」が「最もドラム回転方向で上流側にある記録位置から副走査方向に延ばした標準記録線ＳＢＬからの偏差ΔＢＣｉと、ドラム２の周速度ＶＤとから求めた、複数のレーザダイオードの各レーザダイオードＬＤｉ毎の遅延時間ＴＲｉ＝ΔＢＣｉ／ＶＤだけ遅延させて、光源部１０に画像信号を入力する」ことにより、
　「レーザビームの記録位置の主走査方向のズレの影響を良好に補正でき、良好に潜像を記録する」ことが認められる。
　
　そして、主走査方向のずれの影響を補正する際に、なるべく近いタイミングで複数のビームを発光させることが自然であるから、主走査方向に特定間隔で繰り返される投影線のうちの近いものに一致させることは、当業者が適宜設計し得た事項である。したがって、上記相違点２に係る構成を採用することに、格別の困難性はない。
　
　また、主走査方向に特定間隔で繰り返される投影線のうち、すべての投影点が同じ投影線に同期させる引用例２発明の場合には、複数のレーザダイオードの各レーザダイオードＬＤｉ毎の遅延時間ＴＲｉ＝ΔＢＣｉ／ＶＤだけ遅延させて、光源部１０に画像信号を入力する」ことになり、投影点に用いる印刷点の画像情報は単純に同じ対象物線上に存在する画像情報を選択するだけでよいが、本願発明の場合には、本来の投影線に大きくずれる投影点について、線を書き込む画像形成の際に途切れることがないように、最も近い距離を有する投影線上の印刷点の画像情報を用いることになり、その選択するための工程が必要となる。この点を考慮すると、レーザビームの記録位置の主走査方向のズレの影響を良好に補正できる点で、引用例２発明と本願発明との間で差異はないが、印刷点の画像情報を用いる際には一応の差異があると言える。しかし、格別の効果の差異というものではない。
　
６−３．引用例２発明との相違点３について
　制御回路に「ＡＳＩＣ（特定用途向け集積回路）」を含ませることは、従来周知（上記引用例１　（１ｃ）参照。）である。したがって、
　相違点３に係る構成を採用することは、当業者が適宜なし得た事項である。
　
７．請求人の主張について
　請求人は、平成２２年７月２３日付回答書で、以下のように主張している。
　
「本発明（請求項１と５の発明）はレーザダイオードバーを有する画像形成装置に関するものです。引用文献１でも複数のレーザダイオードを用いて画像データを書き込みますが、これらのレーザダイオードがレーザダイオードバー、すなわち複数のレーザダイオードを有する集積回路装置との記載はありません。
・・・
　引用文献２の段落００５０には確かに本発明と同様に、個々の光源によって定まる平面内での対象物線に対する個々の光源の位置のずれを補償するために、第１の光源の作動開始時点を基準として、他の各光源の作動開始時点を時間的にずらしてオンすることが記載されています。しかし、引用文献２でも複数のレーザダイオードがレーザダイオードバー、すなわち複数のレーザダイオードを有する集積回路装置との記載はありません。」
　
　しかし、 複数のＬＤをユニット化したり、所定の間隔で整列させて光源部を設けることが従来周知（上記引用例１　（１ｃ）、引用例２（２ｄ）　（２ｆ）参照。）であり、集積化は従来慣用技術である。したがって、上記主張は採用できない。
　
８．まとめ
　以上のことから、本願発明は、引用例１発明若しくは引用例２発明と、従来周知の技術とに基いて当業者が容易に発明をすることができたものと認める。
　
９．むすび
　以上のとおりであるから、本願請求項１に係る発明は、特許法第２９条第２項の規定により特許を受けることができない。
　したがって、請求項１以外の請求項に係る発明について検討するまでもなく、本願は拒絶すべきものである。
　よって、結論のとおり審決する。